Podtech/llm-jp-corpus-v4-ja_patent huggingface dataset:
【手続補正書】
【提出日】平成29年4月21日(2017.4.21)
【手続補正１】
【補正対象書類名】明細書
【補正対象項目名】０００４
【補正方法】変更
【補正の内容】
【０００４】
しかしながら、上記の遊技機では、演出保留画像を通常の態様とは異なる態様に変化させて表示することはあるものの、その変化のバリエーションとしては、模様や色などのデザインの変化であった。
【手続補正２】
【補正対象書類名】明細書
【補正対象項目名】０００６
【補正方法】変更
【補正の内容】
【０００６】
本発明の遊技機は、
遊技球が流下可能な遊技領域に配された入球口、及び、特定入賞口と、
前記入球口への入球に基づいて判定用情報を取得可能な判定用情報取得手段と、
前記判定用情報取得手段により取得された判定用情報を、所定の上限数まで記憶可能な記憶手段と、
前記記憶手段に記憶された判定用情報に基づいて、当たりの判定を行う当たり判定手段と、
前記当たり判定手段により当たりと判定されると、前記特定入賞口を開放させる特別遊技を行う特別遊技実行手段と、
前記判定用情報取得手段により取得された判定用情報に基づいて、その判定用情報が前記当たりと判定される特定の判定用情報であるか否かを示す始動入賞情報を生成する始動入賞情報生成手段と、
画像を表示可能な画像表示手段と、
前記画像表示手段を用いた演出を制御可能な演出制御手段と、を備え、
前記演出制御手段は、前記始動入賞情報生成手段により生成された始動入賞情報に基づいて、１つのオブジェクトを表す演出保留画像を複数のオブジェクトを表す演出保留画像に変化させる保留画像変化演出を前記画像表示手段に実行させることが可能なものであり、
前記画像表示手段は、前記演出保留画像を表示する保留表示領域を少なくとも前記上限数分有し、
前記複数のオブジェクトを表す演出保留画像は、１つの前記保留表示領域内に表示されることを特徴とする遊技機である。
【手続補正３】
【補正対象書類名】特許請求の範囲
【補正対象項目名】全文
【補正方法】変更
【補正の内容】
【特許請求の範囲】
【請求項１】
遊技球が流下可能な遊技領域に配された入球口、及び、特定入賞口と、
前記入球口への入球に基づいて判定用情報を取得可能な判定用情報取得手段と、
前記判定用情報取得手段により取得された判定用情報を、所定の上限数まで記憶可能な記憶手段と、
前記記憶手段に記憶された判定用情報に基づいて、当たりの判定を行う当たり判定手段と、
前記当たり判定手段により当たりと判定されると、前記特定入賞口を開放させる特別遊技を行う特別遊技実行手段と、
前記判定用情報取得手段により取得された判定用情報に基づいて、その判定用情報が前記当たりと判定される特定の判定用情報であるか否かを示す始動入賞情報を生成する始動入賞情報生成手段と、
画像を表示可能な画像表示手段と、
前記画像表示手段を用いた演出を制御可能な演出制御手段と、を備え、
前記演出制御手段は、前記始動入賞情報生成手段により生成された始動入賞情報に基づいて、１つのオブジェクトを表す演出保留画像を複数のオブジェクトを表す演出保留画像に変化させる保留画像変化演出を前記画像表示手段に実行させることが可能なものであり、
前記画像表示手段は、前記演出保留画像を表示する保留表示領域を少なくとも前記上限数分有し、
前記複数のオブジェクトを表す演出保留画像は、１つの前記保留表示領域内に表示されることを特徴とする遊技機。
【手続補正書】
【提出日】平成29年4月28日(2017.4.28)
【手続補正１】
【補正対象書類名】特許請求の範囲
【補正対象項目名】請求項１
【補正方法】変更
【補正の内容】
【請求項１】
両端端末を封着したフッ素樹脂と、シリコーンゴムからなるパイプを、単独、或いは、組み合わせて、簾状、環状、渦巻き状等に形成して、空気中に存在する微細粉塵を、該両端端末を封着したフッ素樹脂と、シリコーンゴムからなる上記各形状に形成されたパイプに帯電した負の静電気よって吸着させ、更に、シリコーンゴムパイプに、シリコーンゴムの粘着性を利用して、微細粉塵を付着させるように構成したことを特徴とする微細粉塵除去方法。
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
工具が交換自在に装着される主軸と、
前記主軸を軸方向に移動する主軸移動ユニットと、
工具が格納される格納部を複数備えた格納ユニットと、
前記主軸に対する工具の着脱が行われる着脱位置に位置する前記格納部が入れ替わるように前記格納ユニットを移動する移動ユニットと、
前記着脱位置に位置する前記格納部に格納されている前記工具を検出するように、検出位置が設定された工具センサと、
前記主軸移動ユニットを制御する処理ユニットと、を備え、
前記処理ユニットは、
前記主軸に装着された工具を前記格納部に格納する際、前記工具センサの検出結果に基づいて、前記格納部に工具が格納されているか否かを確認する、
ことを特徴とする工作機械。
【請求項２】
請求項１に記載の工作機械であって、
前記処理ユニットは、
前記主軸移動ユニットにより前記主軸を移動することで、前記主軸に装着された前記工具を前記格納部から取り出す際、前記工具センサの検出結果に基づいて、前記工具の先端位置を演算する、
ことを特徴とする工作機械。
【請求項３】
請求項２に記載の工作機械であって、
前記主軸に装着されている工具の先端が当接する接触式センサを備え、
前記制御手段は、
前記接触式センサに対して、前記主軸に装着されている工具が当接するように前記主軸移動ユニットにより前記主軸を移動させ、その際の前記接触式センサの検出結果に基づいて、前記工具の先端位置を演算し、
前記制御手段は、
前記接触式センサに対して、前記主軸に装着されている工具が当接するように前記主軸移動ユニットにより前記主軸を移動させる際、前記主軸の移動速度を、前記工具センサの検出結果に基づいて演算した前記工具の先端位置に基づいて、変化させる、
ことを特徴とする工作機械。
【請求項４】
請求項１に記載の工作機械であって、
さらに、
前記主軸に装着される工具により加工が行われるワークを保持する加工テーブルと、
前記移動ユニットによって移動され、前記格納ユニットと前記加工テーブルとを有する可動ステージと、を備え、
前記移動ユニットは、前記可動ステージとともに、前記格納部が前記着脱位置に位置するように、前記格納ユニットと前記加工テーブルとを移動させる、
ことを特徴とする工作機械。
【手続補正２】
【補正対象書類名】明細書
【補正対象項目名】発明の名称
【補正方法】変更
【補正の内容】
【発明の名称】工作機械
【手続補正３】
【補正対象書類名】明細書
【補正対象項目名】０００５
【補正方法】変更
【補正の内容】
【０００５】
本発明は、格納部毎にセンサを設けずに、工具の格納状態を検出可能な工作機械を提供する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明によれば、工具が交換自在に装着される主軸と、前記主軸を軸方向に移動する主軸移動ユニットと、工具が格納される格納部を複数備えた格納ユニットと、前記主軸に対する工具の着脱が行われる着脱位置に位置する前記格納部が入れ替わるように前記格納ユニットを移動する移動ユニットと、前記着脱位置に位置する前記格納部に格納されている前記工具を検出するように、検出位置が設定された工具センサと、前記主軸移動ユニットを制御する処理ユニットと、を備え、前記処理ユニットは、前記主軸に装着された工具を前記格納部に格納する際、前記工具センサの検出結果に基づいて、前記格納部に工具が格納されているか否かを確認する、ことを特徴とする工作機械が提供される。
【手続補正６】
【補正対象書類名】明細書
【補正対象項目名】０００８
【補正方法】変更
【補正の内容】
【０００８】
本発明によれば、格納部毎にセンサを設けずに、工具の格納状態を検出可能な工作機械を提供することができる。
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
連続して飲料用水素含有水を製造する方法であって、
（ａ）脱気装置において供給された原料の浄化水を中空糸膜を通じて脱気し、得られた脱気水を水素溶解装置に送る脱気工程と、
（ｂ）前記水素溶解装置において供給された脱気水に加圧水素ガスを中空糸膜を通じて溶解し、得られた水素含有水を充填装置に送る水素溶解工程と、
（ｃ）前記充填装置において供給された水素含有水をスパウト付包装容器にその注入口より充填する充填工程と、
（ｄ）水素含有水が充填されたスパウト付包装容器の注入口を密封する密封工程とを含み、
前記工程（ａ）において脱気装置に供給される浄化水から前記工程（ｃ）において包装容器に注入される水素含有水までの水流路には圧力ポンプの運転により所定の圧力が負荷されているとともに、
前記工程（ｃ）は、包装容器の注入口を充填装置の充填ノズルと接続する状態を保持するとともに、包装容器内の気体を吸引し充填装置内を通して除去する段階と、続いて所定圧力が負荷された水素含有水を包装容器内に注入する段階と、その後充填装置内に残る剰余の水素含有水を包装容器内に加圧供給し、包装容器内に残る気泡を外に排出する段階を備え、そして、前記注入口と前記充填ノズルとの接続を解き、直ちに前記工程（ｄ）に移行する工程からなることを特徴とする、方法。
【請求項２】
連続して飲料用水素含有水を製造する装置であって、
（ａ）供給された原料の浄化水を中空糸膜を通じて脱気する脱気装置と、
（ｂ）前記脱気装置より供給された脱気水に加圧水素ガスを中空糸膜を通じて溶解する水素溶解装置と、
（ｃ）前記水素溶解装置より供給された水素含有水をスパウト付包装容器にその注入口より充填する充填装置と、
（ｄ）前記水素含有水の充填が完了したスパウト付包装容器の注入口を密封する密封装置と、
前記装置（ａ）に供給される浄化水から前記装置（ｃ）において包装容器に注入される
水素含有水までの水流路に所定の圧力を負荷することができる圧力ポンプとを備え、
前記装置（ｃ）は、包装容器の注入口を充填装置の充填ノズルと接続する状態を保持し、またその接続を解放する機構と、包装容器内の気体を吸引し充填装置内を通して除去する手段と、続いて所定圧力が負荷された水素含有水を包装容器内に注入する手段と、その後充填装置内に残る剰余の水素含有水を包装容器内に加圧供給し、包装容器内に残る気泡を外に排出する手段とを備えることを特徴とする、装置。
【手続補正書】
【提出日】平成29年4月25日(2017.4.25)
【手続補正１】
【補正対象書類名】明細書
【補正対象項目名】００１０
【補正方法】変更
【補正の内容】
【００１０】
本発明は、３次元医用画像データにより生成される観察用画像に対し実行するノイズ低減処理の実行強度を、適切に決定することが可能な仕組みを提供することを目的とする。
【手続補正２】
【補正対象書類名】明細書
【補正対象項目名】００１１
【補正方法】変更
【補正の内容】
【００１１】
上記目的を達成するため、本発明に係る医用画像診断支援装置は、以下の特徴を備えている。
【手続補正３】
【補正対象書類名】明細書
【補正対象項目名】００１２
【補正方法】変更
【補正の内容】
【００１２】
すなわち、本発明に係る医用画像診断支援装置は、３次元医用画像データにより生成される、被検体の観察用画像におけるノイズを低減させるためのノイズ低減処理を実行する医用画像診断支援装置であって、前記観察用画像を構成する画像構成要素に対応する信号値の所定の範囲ごとに、前記画像構成要素の個数を求める計算手段と、前記計算手段により求められた前記範囲ごとの個数を、前記範囲ごとに補正する補正手段と、前記補正手段により補正された前記個数に基づき、前記ノイズ低減処理の実行強度を決定する決定手段とを備えることを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２７
【補正方法】変更
【補正の内容】
【００２７】
本発明によれば、３次元医用画像データにより生成される観察用画像に対し実行するノイズ低減処理の実行強度を、適切に決定することが可能となる。
【手続補正１５】
【補正対象書類名】特許請求の範囲
【補正対象項目名】全文
【補正方法】変更
【補正の内容】
【特許請求の範囲】
【請求項１】
３次元医用画像データにより生成される、被検体の観察用画像におけるノイズを低減させるためのノイズ低減処理を実行する医用画像診断支援装置であって、
前記観察用画像を構成する画像構成要素に対応する信号値の所定の範囲ごとに、前記画像構成要素の個数を求める計算手段と、
前記計算手段により求められた前記範囲ごとの個数を、前記範囲ごとに補正する補正手段と、
前記補正手段により補正された前記個数に基づき、前記ノイズ低減処理の実行強度を決定する決定手段と
を備えることを特徴とする医用画像診断支援装置。
【請求項２】
前記補正手段により補正された前記範囲ごとの前記個数の積算値を求める積算手段を更に備え、
前記決定手段は、前記積算手段で求められた前記積算値に基づいて、前記ノイズ低減処理の実行強度を決定すること
を特徴とする請求項１に記載の医用画像診断支援装置。
【請求項３】
前記計算手段、前記補正手段、および前記積算手段による各処理を、前記被検体の複数の観察用画像に対し実行し、当該複数の観察用画像の各々の積算値を求める複数積算値算出手段を備え、
前記決定手段は、前記複数積算値算出手段により求められた前記複数の観察用画像の各々の積算値に基づいて、前記ノイズ低減処理の実行強度を決定すること
を特徴とする請求項２に記載の医用画像診断支援装置。
【請求項４】
前記決定手段は、前記複数の観察用画像の各々について求められた前記積算値の中から基準となる基準積算値を選出し、当該基準積算値に対する、前記所定の観察用画像における前記積算値の比率を求め、当該比率に応じて、前記所定の観察用画像に対する前記ノイズ低減処理の実行強度を決定すること
を特徴とする請求項３に記載の医用画像診断支援装置。
【請求項５】
前記複数の観察用画像の各々について求められた各前記積算値のグラフを作成するグラフ作成手段を備え、
前記決定手段は、前記グラフ作成手段により作成された前記グラフを用いて、前記ノイズ低減処理の実行強度を決定すること
を特徴とする請求項３または４に記載の医用画像診断支援装置。
【請求項６】
信号値の所定の範囲ごとに、前記補正手段での補正のための重み付け係数を記憶する記憶手段を更に備え、
前記補正手段は前記記憶手段で記憶される前記重み付け係数に基づいて、前記範囲ごとに補正を行うこと
を特徴とする請求項１乃至５のいずれか１項に記載の医用画像診断支援装置。
【請求項７】
３次元医用画像データにより生成される、被検体の観察用画像におけるノイズを低減させるためのノイズ低減処理を実行する医用画像診断支援装置の制御方法であって、
前記観察用画像を構成する画像構成要素に対応する信号値の所定の範囲ごとに、前記画像構成要素の個数を求める計算ステップと、
前記計算ステップにより求められた前記範囲ごとの個数を、前記範囲ごとに補正する補正ステップと、
前記補正ステップにより補正された前記個数に基づき、前記ノイズ低減処理の実行強度を決定する決定ステップと
を備えることを特徴とする医用画像診断支援装置の制御方法。
【請求項８】
３次元医用画像データにより生成される、被検体の観察用画像におけるノイズを低減させるためのノイズ低減処理を実行する医用画像診断支援装置で実行可能なプログラムであって、
前記医用画像診断支援装置を、
前記観察用画像を構成する画像構成要素に対応する信号値の所定の範囲ごとに、前記画像構成要素の個数を求める計算手段と、
前記計算手段により求められた前記範囲ごとの個数を、前記範囲ごとに補正する補正手段と、
前記補正手段により補正された前記個数に基づき、前記ノイズ低減処理の実行強度を決定する決定手段
として機能させることを特徴とするプログラム。
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
眼科撮影装置であって、
測定光と参照光の光路長が一致する位置が被検眼の硝子体側である硝子体モードと前記位置が前記被検眼の脈絡膜側である脈絡膜モードで、前記測定光と前記参照光が合波された干渉光に基づいて被検眼の眼底の断層画像を撮像する撮像手段と、
前記脈絡膜モードで前記撮像手段により撮像された前記眼底の断層画像に基づいて眼底像を生成する生成手段と、
前記硝子体モードで前記撮像手段により撮像された前記眼底の断層画像と前記生成手段により生成された前記眼底像とを表示手段に表示する表示制御手段と、
を有することを特徴とする眼科撮影装置。
【請求項２】
前記硝子体モードで前記撮像手段により撮像された前記眼底の断層画像に折り返しが起きているか否かを判定する判定手段を更に有し、
前記表示制御手段は、前記判定手段により前記折り返しが起きていると判定された場合には前記硝子体モードで前記撮像手段により撮像された前記眼底の断層画像に基づいて生成された眼底像を表示し、前記判定手段により前記折り返しが起きていない判定された場合には前記脈絡膜モードで前記撮像手段により撮像された前記眼底の断層画像に基づいて生成された眼底像を表示することを特徴とする請求項１に記載の眼科撮影装置。
【請求項３】
前記判定手段により前記折り返しが起きていると判定された場合に、前記測定光と前記参照光の光路長が一致する位置を前記硝子体側から前記脈絡膜側に移動させる移動手段を更に有し、
前記移動手段は、前記位置を、現在の位置から前記断層画像における脈絡膜の外側の境界部までの距離と所定のマージンを合わせた距離だけ移動させることを特徴とする請求項２に記載の眼科撮影装置。
【請求項４】
前記撮像手段により前記位置が前記被検眼の脈絡膜側にある状態で前記断層画像が撮像された後、前記移動手段は前記位置を前記被検眼の硝子体側に移動させることを特徴とする請求項３に記載の眼科撮影装置。
【請求項５】
前記移動手段は、前記位置を、現在の位置から前記断層画像における硝子体及び網膜の境界部までの距離と所定のマージンを合わせた距離だけ移動させることを特徴とする請求項４に記載の眼科撮影装置。
【請求項６】
前記移動手段により前記位置が前記被検眼の硝子体側に移動された後、前記被検眼の動きを取得する取得手段と、
前記取得手段により取得された前記被検眼の動きに基づいて前記眼底像のうち前記表示手段に表示させる範囲を決定する決定手段とを更に有し、
前記表示制御手段は前記決定手段により決定された前記眼底像の範囲を前記表示手段に表示することを特徴とする請求項５に記載の眼科撮影装置。
【請求項７】
前記移動手段により前記位置が前記被検眼の硝子体側に移動された後、経時的に移動する前記被検眼に含まれる物体を検出する検出手段を更に有し、
前記表示制御手段は、前記検出手段により検出された物体を前記眼底像と共に前記表示手段に表示することを特徴とする請求項６に記載の眼科撮影装置。
【請求項８】
前記移動手段により前記位置が前記被検眼の硝子体側に移動された後、前記被検眼の瞬きを検知するする瞬き検知手段を更に有し、
前記瞬き検知手段により前記瞬きが検知された場合、前記表示制御手段は前記表示手段に瞬きが検知されたことを表示することを特徴とする請求項６または７に記載の眼科撮影装置。
【請求項９】
前記移動手段により前記位置が前記被検眼の硝子体側に移動された後、前記被検眼の瞳孔もしくはまつ毛による前記測定光のケラレを検知するするケラレ検知手段を更に有し、
前記ケラレ検知手段によって前記測定光のケラレが検知された場合、前記表示制御手段は前記表示手段に前記測定光のケラレが検知されたことを表示することを特徴とする請求項６乃至８のいずれか１項に記載の眼科撮影装置。
【請求項１０】
眼科撮影装置の制御方法であって、
測定光と参照光の光路長が一致する位置が被検眼の硝子体側である硝子体モードと前記位置が前記被検眼の脈絡膜側である脈絡膜モードで、前記測定光と前記参照光が合波された干渉光に基づいて被検眼の眼底の断層画像を撮像する撮像工程と、
前記脈絡膜モードで前記撮像工程において撮像された前記眼底の断層画像に基づいて眼底像を生成する生成工程と、
前記硝子体モードで前記撮像工程において撮像された前記眼底の断層画像と前記生成工程において生成された前記眼底像とを表示手段に表示する表示工程と、
を有することを特徴とする眼科撮影装置の制御方法。
【請求項１１】
請求項１乃至請求項９のいずれか１項に記載の眼科撮影装置の各手段としてコンピュータを機能させるためのプログラム。
【手続補正２】
【補正対象書類名】明細書
【補正対象項目名】０００９
【補正方法】変更
【補正の内容】
【０００９】
上記の目的を達成する本発明による眼科撮影装置は以下の構成を有する。すなわち、眼科撮影装置であって、測定光と参照光の光路長が一致する位置が被検眼の硝子体側である硝子体モードと前記位置が前記被検眼の脈絡膜側である脈絡膜モードで、前記測定光と前記参照光が合波された干渉光に基づいて被検眼の眼底の断層画像を撮像する撮像手段と、前記脈絡膜モードで前記撮像手段により撮像された前記眼底の断層画像に基づいて眼底像を生成する生成手段と、前記硝子体モードで前記撮像手段により撮像された前記眼底の断層画像と前記生成手段により生成された前記眼底像とを表示手段に表示する表示制御手段と、を有することを特徴とする。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
取得条件の成立を契機に取得される判定情報を記憶する判定情報記憶手段と、
前記判定情報記憶手段に記憶された前記判定情報を参照して、この判定情報が特定の判定情報であるか否かを判定する特定判定手段と、
画像表示装置及び可動部材を制御して変動演出を実行させる演出実行制御手段と、を備え、
前記画像表示装置は、
前記判定情報記憶手段に記憶された前記判定情報のうち、前記特定判定手段により未だに参照されていない前記判定情報を保留表示態様で表示する第１の表示領域と、
前記判定情報記憶手段に記憶された前記判定情報のうち、前記特定判定手段により参照されたことによって、当該判定情報に応じた演出の開始以降において判定表示態様で表示する第２の表示領域と、を有し、
前記可動部材は、前記第１の表示領域及び前記第２の表示領域と重複する位置まで移動可能であり、
前記演出実行制御手段は、
前記変動演出において、第１演出と当該第１演出よりも前記特定の判定情報である可能性が高い第２演出とを実行可能であり、
前記第２演出を実行する際に、前記可動部材を前記第１の表示領域と重複する位置に移動させると共に、前記第１の表示領域の表示を消去する一方、前記第２の表示領域の表示を継続する制御を行う、
ことを特徴とする遊技機。
【請求項２】
前記演出実行制御手段は、
前記可動部材を前記第２の表示領域と重複する位置まで移動させたときに、前記判定表示態様の表示態様を変化させる、
請求項１に記載の遊技機。
【手続補正２】
【補正対象書類名】明細書
【補正対象項目名】０００８
【補正方法】変更
【補正の内容】
【０００８】
上記特許文献１に開示される遊技機では、一般に、装飾図柄表示装置の前面側を移動することで演出を行う装飾部材を備えることが多く、この装飾部材の移動は、遊技者に対して大当たりへの期待感を高めることが可能である。 
【手続補正３】
【補正対象書類名】明細書
【補正対象項目名】０００９
【補正方法】変更
【補正の内容】
【０００９】
しかしながら、上記特許文献１に開示される遊技機では、遊技者に対して、遊技を楽しませることができていなかった。
【手続補正４】
【補正対象書類名】明細書
【補正対象項目名】００１０
【補正方法】変更
【補正の内容】
【００１０】
本発明の目的は、上記従来の実状に鑑みて、遊技者に対して、遊技を楽しませることができる遊技機を提供することにある。
【手続補正５】
【補正対象書類名】明細書
【補正対象項目名】００１１
【補正方法】変更
【補正の内容】
【００１１】
上記目的を達成するために、本発明に係る遊技機は、取得条件の成立を契機に取得される判定情報を記憶する判定情報記憶手段と、前記判定情報記憶手段に記憶された前記判定情報を参照して、この判定情報が特定の判定情報であるか否かを判定する特定判定手段と、画像表示装置及び可動部材を制御して変動演出を実行させる演出実行制御手段と、を備え、前記画像表示装置は、前記判定情報記憶手段に記憶された前記判定情報のうち、前記特定判定手段により未だに参照されていない前記判定情報を保留表示態様で表示する第１の表示領域と、前記判定情報記憶手段に記憶された前記判定情報のうち、前記特定判定手段により参照されたことによって、当該判定情報に応じた演出の開始以降において判定表示態様で表示する第２の表示領域と、を有し、前記可動部材は、前記第１の表示領域及び前記第２の表示領域と重複する位置まで移動可能であり、前記演出実行制御手段は、前記変動演出において、第１演出と当該第１演出よりも前記特定の判定情報である可能性が高い第２演出とを実行可能であり、前記第２演出を実行する際に、前記可動部材を前記第１の表示領域と重複する位置に移動させると共に、前記第１の表示領域の表示を消去する一方、前記第２の表示領域の表示を継続する制御を行う、ことを特徴とする。 
【手続補正６】
【補正対象書類名】明細書
【補正対象項目名】００１３
【補正方法】変更
【補正の内容】
【００１３】
本発明の遊技機によれば、遊技者に対して、遊技を楽しませることが可能とすることができる。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
底壁と、
底壁の外周端から上向きに周設された周壁とを有する洗眼具であって、
前記周壁の上端縁が、眼の周囲に適合する円環状の開口部を形成し、
前記開口部を眼の周囲に当接した時に、
前記開口部の中心点と前記底壁の中心点とを通る直線を前記洗眼具の中心軸と仮定したときに、前記中心軸が顔面に対して所定の角度をもって下方向に傾いて当接し、
眼の正面に位置して前記周壁内表面の上下方向に延びる仮想垂線上に、洗眼用液剤を収容する容器の液剤噴出用ノズルを着脱自在に挿入可能な貫通孔又は切り欠き部を有すること、
を特徴とする洗眼具。
【請求項２】
前記開口部の中心点と前記周壁の仮想垂線を含む縦断面に対して、面対称の形状であることを特徴とする請求項１に記載の洗眼具。
【請求項３】
前記上端縁から１０〜３０ｍｍの範囲内であって、前記仮想垂線上の位置に前記貫通孔又は切り欠き部が形成されていることを特徴とする請求項１又は２に記載の洗眼具。
【請求項４】
前記所定の角度が２０°〜６０°である請求項１〜３に記載の洗眼具。
【請求項５】
前記請求項１乃至４のいずれかに記載の洗眼具を用いて洗眼する方法であって、
前記液剤噴出用ノズルから、眼に対して斜め上方１０〜６０°の位置から液剤を噴出しつつ洗眼し、
洗眼後の液剤は再度眼に接触することなく底壁と周壁に囲まれた液溜部に保持されることを特徴とする洗眼方法。
【請求項６】
前記液剤噴出ノズルから、液剤を噴出する際に、眼に対するノズルの角度を１０〜６０°の角度範囲で微動させることを特徴とする請求項５に記載の洗眼方法。
【請求項７】
前記開口部を眼の周囲に当接させ、顔を正面に向けて洗眼する請求項５又は６に記載の洗眼方法。
【手続補正２】
【補正対象書類名】明細書
【補正対象項目名】００５９
【補正方法】変更
【補正の内容】
【００５９】
洗眼時には、図８（ｄ）に示すように眼に対して斜め上方１０°〜６０°の位置から液剤が噴出される。洗眼を終えた液剤は洗眼具の底壁５２に向かって落ちていき、周壁５４とで囲まれた液溜部に保持されるので、眼の再汚染を防ぐことができる。洗眼時の液剤の噴射については、使用者による押圧力の制御によって、連続的に噴射したり、断続的に噴射することができ、同時に眼に当たる洗眼液の水圧も調整することができる。
【手続補正３】
【補正対象書類名】明細書
【補正対象項目名】００６０
【補正方法】変更
【補正の内容】
【００６０】
洗眼操作としては、ボトルを押圧するだけで支持する手を動かすことなく洗眼する方法の他に、ノズルから液剤を噴出する際に、眼に対するノズルの角度を１０°〜６０°の角度範囲で微動させることが好ましい。噴射液が眼の一点に集中することなく降り注ぎ、眼全体を洗眼できるからである。また、一点に集中する液剤の水圧を分散して眼に優しい洗眼方法を提供できる。
【手続補正書】
【提出日】平成29年3月24日(2017.3.24)
【手続補正１】
【補正対象書類名】明細書
【補正対象項目名】００４３
【補正方法】変更
【補正の内容】
【００４３】
1  被検者、2  静磁場発生系、3  傾斜磁場発生系、4  シーケンサ、5  送信系、6  受信系、7  信号処理系、8  中央処理装置(CPU)、9  傾斜磁場コイル、10  傾斜磁場電源、11  高周波発信器、12  変調器、13  高周波増幅器、14a  高周波コイル(送信コイル)、14b  高周波コイル(受信コイル)、15  信号増幅器、16  直交位相検波器、17  A/D変換器、18  磁気ディスク、19  光ディスク、20  ディスプレイ、23  トラックボール又はマウス、24  キーボード、25  寝台、26  傾斜磁場コイルの支持構造、27  LED、28  放熱板、29  LED素子、30  レンズ、31  スリットを入れた放熱板、32  薄板を積層し、スリットを入れた放熱板、33  曲げ加工を施した放熱板
【手続補正２】
【補正対象書類名】図面
【補正対象項目名】図１
【補正方法】変更
【補正の内容】
【図１】
2015208427.tif 000001
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
取得条件の成立により遊技情報を取得する取得手段と、
第１態様および当該第１態様とは異なる第２態様とを少なくとも有する操作手段を備え、前記取得手段により取得される遊技情報に基づいて、有利な特別遊技を実行するか否かを判定し、特別遊技を実行すると判定した場合には、複数種類の特別遊技のうちのいずれかを選択し、選択した種類の特別遊技を実行する遊技機であって、
図柄表示手段に図柄を変動表示させてから前記特別遊技の判定の結果を示す図柄を停止表示させる図柄表示制御手段と、
前記図柄表示手段における図柄の変動表示中において、前記操作手段が前記第２態様になる際に、演出音を出力するとともに、出力される演出音に関連したタイミングで操作を行うことを指示する第１演出と、前記特別遊技を実行するか否かに関する情報を報知する演出とを実行する第１演出実行手段と、
前記第１演出が実行されたときの図柄変動において特別遊技を実行すると判定されたことを示す図柄が停止したことに続いて実行される特別遊技中において、演出音を出力するとともに、出力される演出音に関連したタイミングで操作を行うことを指示し、操作に応じて、実行中の特別遊技の種類に関する情報を報知する第２演出を実行する第２演出実行手段とを備え、
前記第１演出実行手段により前記第１演出が実行されている場合、前記取得手段による遊技情報に基づいて行われる図柄変動が開始される際に前記操作手段が前記第２態様になることを特徴とする遊技機。
【手続補正２】
【補正対象書類名】明細書
【補正対象項目名】０００５
【補正方法】変更
【補正の内容】
【０００５】
上記の目的を達成する本発明は、取得条件の成立により遊技情報を取得する取得手段（ａ２００）と、第１態様および当該第１態様とは異なる第２態様とを少なくとも有する操作手段（ｂ１６１、ｈ２６）を備え、前記取得手段（ａ２００）により取得される遊技情報に基づいて、有利な特別遊技を実行するか否かを判定し、特別遊技を実行すると判定した場合には、複数種類の特別遊技のうちのいずれかを選択し、選択した種類の特別遊技を実行する遊技機であって、図柄表示手段（ｈ５、ｂ１１４）に図柄を変動表示させてから前記特別遊技の判定の結果を示す図柄を停止表示させる図柄表示制御手段（ａ２００）と、前記図柄表示手段（ｈ５、ｂ１１４）における図柄の変動表示中において、前記操作手段（ｂ１６１、ｈ２６）が前記第２態様になる際に、演出音を出力するとともに、出力される演出音に関連したタイミングで操作を行うことを指示する第１演出と、前記特別遊技を実行するか否かに関する情報を報知する演出とを実行する第１演出実行手段（ａ３００）と、前記第１演出が実行されたときの図柄変動において特別遊技を実行すると判定されたことを示す図柄が停止したことに続いて実行される特別遊技中において、演出音を出力するとともに、出力される演出音に関連したタイミングで操作を行うことを指示し、操作に応じて、実行中の特別遊技の種類に関する情報を報知する第２演出を実行する第２演出実行手段（ａ３００）とを備え、前記第１演出実行手段（ａ３００）により前記第１演出が実行されている場合、前記取得手段（ａ２００）による遊技情報に基づいて行われる図柄変動が開始される際に前記操作手段（ｂ１６１、ｈ２６）が前記第２態様になることを特徴とする遊技機である。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
遊技媒体が第１始動領域または第２始動領域を通過した後に、図柄の変動表示の開始条件が成立すると、所定の表示部において、図柄の変動表示を行い、図柄の変動表示を停止して特定の図柄の停止表示を行うと、遊技者にとって有利な特別遊技を実行する遊技機であって、
遊技媒体が所定領域を通過したことに基づいて、遊技媒体が前記第２始動領域を通過し易い状態に制御するか否かを判定する始動領域状態判定手段と、
前記始動領域状態判定手段によって、遊技媒体が前記第２始動領域を通過し易い状態に制御すると判定されると、第１時間、または、第１時間より短い第２時間、遊技媒体が前記第２始動領域を通過し易い状態に制御する始動領域状態制御手段と、
遊技媒体が前記第１始動領域または前記第２始動領域を通過したことに基づいて、判定情報を取得する判定情報取得手段と、
遊技媒体が前記第１始動領域または前記第２始動領域を通過したが未だ図柄の変動表示の開始条件が成立していない場合、所定の上限数を限度に、前記判定情報取得手段が取得した判定情報を記憶し、図柄の変動表示の実行について保留する保留記憶手段と、
前記判定情報取得手段により取得された判定情報が所定の場合に当該変動まで連続する複数の変動表示にわたって行われる特定演出における終局の演出態様を決定する決定手段と、
前記特定演出を、複数の変動表示の際に演出態様が変化し前記決定手段により決定される前記終局の演出態様に当該変動で移行するように実行する実行手段と、
を備え、
前記実行手段は、前記特定演出の実行中に前記第２始動領域の通過に基づく変動表示を契機として特定演出の実行を中止して特定演出の実行前の状態に戻し、かつ当該変動で特定演出での前記終局の演出形態に移行させ、
前記実行手段により実行される前記特定演出は、当該変動に至るまで関連する演出であることを特徴とする遊技機。
【請求項２】
前記特定演出の実行を中止する場合の終局の演出形態は、特定演出の実行を中止しない場合に行う終局の演出形態と同じであることを特徴とする請求項１に記載の遊技機。
【手続補正２】
【補正対象書類名】明細書
【補正対象項目名】０００５
【補正方法】変更
【補正の内容】
【０００５】
かかる課題を解決するための手段は、遊技媒体が第１始動領域ａ１２１または第２始動領域ａ１２２を通過した後に、図柄の変動表示の開始条件が成立すると、所定の表示部ａ１１４において、図柄の変動表示を行い、図柄の変動表示を停止して特定の図柄の停止表示を行うと、遊技者にとって有利な特別遊技を実行する遊技機であって、遊技媒体が所定領域ａ２１４を通過したことに基づいて、遊技媒体が前記第２始動領域ａ１２２を通過し易い状態に制御するか否かを判定する始動領域状態判定手段ａ２００と、 前記始動領域状態判定手段ａ２００によって、遊技媒体が前記第２始動領域ａ１２２を通過し易い状態に制御すると判定されると、第１時間、または、第１時間より短い第２時間、遊技媒体が前記第２始動領域ａ１２２を通過し易い状態に制御する始動領域状態制御手段ａ２００と、 遊技媒体が前記第１始動領域ａ１２１または前記第２始動領域ａ１２２を通過したことに基づいて、判定情報を取得する判定情報取得手段ａ２００と、 遊技媒体が前記第１始動領域ａ１２１または前記第２始動領域ａ１２２を通過したが未だ図柄の変動表示の開始条件が成立していない場合、所定の上限数を限度に、前記判定情報取得手段ａ２００が取得した判定情報を記憶し、図柄の変動表示の実行について保留する保留記憶手段ａ２０３と、前記判定情報取得手段ａ２００により取得された判定情報が所定の場合に当該変動まで連続する複数の変動表示にわたって行われる特定演出における終局の演出態様を決定する決定手段ａ３００と、前記特定演出を、複数の変動表示の際に演出態様が変化し前記決定手段ａ３００により決定される前記終局の演出態様に当該変動で移行するように実行する実行手段ａ３００と、を備え、前記実行手段ａ３００は、前記特定演出の実行中に前記第２始動領域ａ１２２の通過に基づく変動表示を契機として特定演出の実行を中止して特定演出の実行前の状態に戻し、かつ当該変動で特定演出での前記終局の演出形態に移行させ、前記実行手段ａ３００により実行される前記特定演出は、当該変動に至るまで関連する演出であることを特徴とする遊技機である。
ここで、前記特定演出の実行を中止する場合の終局の演出形態は、特定演出の実行を中止しない場合に行う終局の演出形態と同じであることを特徴とすることができる。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
薄板状の写真類用台座であって、前記写真類用台座はスチレンボード部を有し、前記スチレンボード部は貼り付けようとする写真類とほぼ同形の表面部と、裏面部と、前記表面部と前記裏面部と接続される側面部と、を具備し、前記表面部と前記裏面部に台紙部をそれぞれ配置し、前記台紙部に弱粘性の接着剤を塗布し、かつ、前記裏面部よりも表面部の面積を大にし、前記側面部は、側面視逆台形状を呈することを特徴とする写真類用台座。
【請求項２】
前記写真類用台座の両面に剥離紙を取り付けたことを特徴とする請求項１記載の写真類用台座。
【誤訳訂正書】
【提出日】平成27年12月2日(2015.12.2)
【誤訳訂正１】
【訂正対象書類名】明細書
【訂正対象項目名】００４１
【訂正方法】変更
【訂正の内容】
【００４１】
スポンジ体２は、体積が概ね１０９００ｍｍ３、密度が１９０ｍｇ／ｃｍ３であれば、４０℃の温度下で、１日当たり４５ｍｇの薬剤を蒸散させることができる。スポンジ体２は、使用条件と材質により、体積を４５００〜５００００ｍｍ３の範囲、密度を１００〜３００ｍｇ／ｃｍ３の範囲で調整することができる。
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
光反射電極と光透過性電極と、
前記光反射電極と前記光透過性電極との間に設けられる発光層と、を有し、
前記光反射電極と前記発光層との間に、前記発光層から射出される光の発光スペクトルの最大ピーク波長における屈折率が前記発光層よりも低い低屈折率層が設けられており、前記光透過性電極の上に、前記発光層から射出された光の出射方向を変える光取り出し部材が設けられており、
前記発光層の最大発光面と前記光反射電極の反射面との間の光学距離Ｌについて下記式（１）を満たすことを特徴とする、有機ＥＬ素子。
【数１】
2014212102.tif 000001
（式（１）において、λは、発光スペクトルの最大ピーク波長を表し、φは、光反射電極における位相シフト［ｄｅｇ］を表す。）
【請求項２】
前記低屈折率層の厚みが、前記発光層と前記光反射電極との距離の半分以上であることを特徴とする、請求項１に記載の有機ＥＬ素子。
【請求項３】
前記光透過性電極における光の透過率が６０％以上であることを特徴とする、請求項１又は２に記載の有機ＥＬ素子。
【請求項４】
前記発光層と前記光取り出し部材との間に設けられる非金属部材の屈折率が、前記発光層よりも高いことを特徴とする、請求項１乃至３のいずれか一項に記載の有機ＥＬ素子。
【請求項５】
前記有機ＥＬ素子の発光色が白色であることを特徴とする、請求項１乃至４のいずれか一項に記載の有機ＥＬ素子。
【請求項６】
複数の画素を有し、
前記複数の画素のうち少なくとも１つが、請求項１乃至５のいずれか一項に記載の有機ＥＬ素子と、前記有機ＥＬ素子に接続されている能動素子と、を有することを特徴とする、表示装置。
【請求項７】
前記光取出し部材がレンズアレイであり、前記画素が有する有機ＥＬ素子のそれぞれに複数のレンズが設けられていることを特徴とする請求項６に記載の表示装置。
【請求項８】
前記光取出し部材がレンズアレイであり、前記画素が有する有機ＥＬ素子のそれぞれに１つのレンズが設けられていることを特徴とする請求項６に記載の表示装置。
【請求項９】
画像情報を入力する入力部と、画像を表示する表示部とを有し、
前記表示部が、請求項６乃至８のいずれか一項に記載の表示装置であることを特徴とする、画像情報処理装置。
【請求項１０】
請求項６乃至８のいずれか一項に記載の表示装置と、撮像素子と、を有し、
前記表示装置が、前記撮像素子によって撮影した影像に関する情報を表示する表示部に含まれることを特徴とする、撮像装置。
【請求項１１】
請求項１乃至５のいずれか一項に記載の有機ＥＬ素子と、前記有機ＥＬ素子に駆動電圧を供給するためのＡＣ／ＤＣコンバーター回路と、を有することを特徴とする照明装置。
【請求項１２】
感光体と前記感光体の表面を帯電させる帯電部と、
前記感光体を露光するための露光部と、
前記感光体の表面に形成された静電潜像を現像するための現像器と、を有し、
前記露光部が、請求項１乃至５のいずれか一項に記載の有機ＥＬ素子を有することを特徴とする、画像形成装置。
【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
立体パノラマを生成するように構成されたシステムであって、一又は複数の物理プロセッサを備え、前記一又は複数の物理プロセッサは、
取り込まれた画像に基づく一連の画像を取得する処理であって、前記取り込まれた画像の少なくとも一部が一連の隣接する画像を形成し、前記取得した一連の画像が再射影された画像に基づいており、前記再投影された画像は、
前記取り込まれた画像を取り込むのに使用されるカメラのレンズの形状によって生じる透視歪みを補償することによって、補償された画像を決定し、
画像取込み中に用いられる非円形カメラ軌道及び／又は非平行主軸のうちの一方又は両方を補償することによって、前記補償された画像に基づいて方位修正された画像を決定し、
方位修正された画像を円筒形の結像面に再射影し垂直視差を低減することによって、前記方位修正された画像に基づいて前記再射影された画像を決定する
ことによって決定される、処理と、
前記取得した一連の画像における隣接する画像における関連する画素間の流れ場を決定することによって、前記取得した一連の画像における隣接する画像間に補間される画像を決定する処理と、
前記取得した一連の画像及び前記取得した一連の画像から決定された補間された画像に基づいて立体パノラマを決定する処理と、
を実行するように、機械読取り可能な命令によって構成された、
システム。
【請求項２】
前記一又は複数の物理プロセッサが、前記取得した画像の画素グリッドの変換を補償することによって、前記流れ場を決定するように、機械読取り可能な命令によってさらに構成された、請求項１に記載のシステム。
【請求項３】
前記一又は複数の物理プロセッサが、前記取得した画像の垂直細片の決定及び前記垂直細片の混合に基づいて立体パノラマを決定するように、機械読取り可能な命令によってさらに構成され、前記混合が前記決定された流れ場に基づく、請求項１に記載のシステム。
【請求項４】
請求項１に記載のシステムであって、前記取得した画像が整列された画像に基づいており、前記一又は複数の物理プロセッサが、
隣接する画像間の回転ドリフト及び／又は位置ドリフトが低減されるように前記再射影された画像を平面状の二次元の表面に射影することによって、前記再射影された画像及び／又はその垂直断片／細片の整列に基づいて前記整列された画像を決定するように、機械読取り可能な命令によってさらに構成され、整列はストラクチャ・フロム・モーションに基づく、
請求項１に記載のシステム。
【請求項５】
整列が前記整列された画像の画素グリッドの変換を生じさせ、前記一又は複数の物理プロセッサが変換を補償することによって前記流れ場を決定するように、機械読取り可能な命令によってさらに構成される、請求項４に記載のシステム。
【請求項６】
前記取り込まれた画像を記憶するように構成された物理ストレージ・メディアをさらに備える、請求項１に記載のシステム。
【請求項７】
カメラを担持及び／又は支持するように構成された支持構造体をさらに備え、前記支持構造体は、前記カメラが円形の軌道に沿って移動するように、前記円形の軌道に沿って移動するように構成される、請求項１に記載のシステム。
【請求項８】
画像を取り込むように構成されたカメラをさらに備え、前記カメラが前記支持構造体によって担持及び／又は支持されるように構成され、前記カメラの視点方向が前記円形の軌道に接するか又は直交する、請求項６に記載のシステム。
【請求項９】
コンピュータにより実行される立体パノラマを生成する方法であって、前記方法は一又は複数の物理プロセッサ及び機械読取り可能な命令を記憶する物理ストレージ・メディアを含むコンピュータ・システム内で実行され、前記方法は、
取り込まれた画像に基づく一連の画像を取得する工程であって、前記取り込まれた画像の少なくとも一部が一連の隣接する画像を形成し、前記取得した一連の画像が再射影された画像に基づいており、前記再投影された画像は、
前記取り込まれた画像を取り込むのに使用されるカメラのレンズの形状によって生じる透視歪みを補償することによって、補償された画像を決定し、
画像取込み中に用いられる非円形カメラ軌道及び／又は非平行主軸のうちの一方又は両方を補償することによって、前記補償された画像に基づいて方位修正された画像を決定し、
方位修正された画像を円筒形の結像面に再射影し垂直視差を低減することによって、前記方位修正された画像に基づいて前記再射影された画像を決定する
ことによって決定される、工程と、
前記取得した一連の画像における隣接する画像における関連する画素間の流れ場を決定することによって、前記取得した一連の画像における隣接する画像間に補間される画像を決定する工程と、
前記取得した一連の画像及び前記取得した一連の画像から決定された補間された画像に基づいて立体パノラマを決定する工程と、
を備える方法。
【請求項１０】
前記流れ場を決定する工程が、前記取得した画像の画素グリッドの変換を補償することを含む、請求項９に記載のコンピュータにより実行される方法。
【請求項１１】
前記立体パノラマを決定する工程が、前記取得した画像の垂直細片の決定及び前記垂直細片の混合に基づいており、前記混合が前記決定された流れ場に基づく、請求項９に記載のコンピュータにより実行される方法。
【請求項１２】
請求項９に記載のコンピュータにより実行される方法であって、前記取得した画像が整列された画像に基づいており、前記方法が、
前記再射影された画像及び／又はその垂直断片／細片の整列に基づいて前記整列された画像を決定する工程をさらに備え、
隣接する画像間の回転ドリフト及び／又は位置ドリフトが低減されるように前記再射影された画像を平面状の二次元の表面に射影することによって、前記整列が行われる、
方法。
【請求項１３】
前記整列が前記整列された画像の画素グリッドの変換を生じさせ、前記流れ場の決定が前記整列によって生じた前記変換を補償することによって行われる、請求項１２に記載のコンピュータにより実行される方法。
【請求項１４】
カメラによって画像を取り込む工程をさらに備え、前記カメラの視点方向が円形の軌道に接するか又は直交し、前記取得された画像が前記カメラによって取り込まれた前記画像に基づく、請求項９に記載のコンピュータにより実行される方法。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
受電装置へ電力伝送を行う送電装置であって、
入力される電圧を変換して出力する増幅器と、
前記増幅器からの出力を用いて前記受電装置へ電力伝送を行う送電手段と、
入力される電圧を変換する際の前記増幅器の効率を、前記送電手段による送電を行っている際に評価する値を検出する検出手段と、
前記検出手段によって検出された前記効率を評価する値に基づいて前記増幅器に入力する電圧を増減する電力制御手段を備えることを特徴とする送電装置。
【請求項２】
前記増幅器は、スイッチング素子を有し、入力される直流電圧を前記スイッチング素子によるスイッチングに応じて交流電圧に変換して出力することを特徴とする請求項１に記載の送電装置。
【請求項３】
前記効率を評価する値は、前記増幅器における前記スイッチング素子がオフ状態からオン状態に遷移するまでの、前記スイッチング素子の出力波形に基づくことを特徴とする請求項２に記載の送電装置。
【請求項４】
前記効率を評価する値は、前記増幅器における前記スイッチング素子のオフ状態からオン状態への遷移のタイミングにおける前記スイッチング素子が出力する電圧値であることを特徴とする請求項２または３に記載の送電装置。
【請求項５】
前記効率を評価する値は、前記増幅器における前記スイッチング素子のオフ状態からオン状態への遷移のタイミングにおける前記スイッチング素子が出力する電流値であることを特徴とする請求項２または３に記載の送電装置。
【請求項６】
前記効率を評価する値は、前記増幅器における前記スイッチング素子がオフ状態からオン状態に遷移するまでの、前記スイッチング素子が出力する電圧値が極大値となる時間または電圧値であることを特徴とする請求項２または３に記載の送電装置。
【請求項７】
前記効率を評価する値は、前記増幅器における前記スイッチング素子がオフ状態からオン状態に遷移するまでの、前記増幅器の入力インピーダンスであることを特徴とする請求項２に記載の送電装置。
【請求項８】
前記検出手段によって検出された結果に基づいて、前記増幅器に供給する電圧を決定する決定手段を更に設け、
前記電力制御手段は前記決定手段によって決定された電圧に従って前記増幅器に供給する電圧を増減することを特徴とする請求項１乃至７のいずれか１項に記載の送電装置。
【請求項９】
前記受電装置との間の距離が変動することによる影響を取り除く整合手段を更に備え、
前記検出手段は前記整合手段によって前記影響が取り除かれた後に、前記増幅器の効率を評価する値を検出することを特徴とする請求項１乃至８のいずれか１項に記載の送電装置。
【請求項１０】
前記受電装置と通信する通信手段を更に備え、
前記電力制御手段は、前記通信手段によって受信された前記受電装置の負荷の消費電力量に基づいて、前記増幅器に供給する電圧を増減する請求項１乃至９のいずれか１項に記載の送電装置。
【請求項１１】
前記検出手段は、前記増幅器のスイッチング損失に起因する前記増幅器の前記効率を評価する値を検出することを特徴とする請求項１乃至１０のいずれか１項に記載の送電装置。
【請求項１２】
前記増幅器の前記効率の変動に起因して前記送電手段による送電効率が変動することを特徴とする請求項１乃至１１のいずれか１項に記載の送電装置。
【請求項１３】
前記増幅器は、Ｅ級増幅器であることを特徴とする請求項１乃至１２のいずれか１項に記載の送電装置。
【請求項１４】
前記電力制御手段は、前記増幅器の前記効率が改善されるように前記増幅器に入力する電圧を増減することを特徴とする請求項１乃至１３のいずれか１項に記載の送電装置。
【請求項１５】
前記電力制御手段は、前記受電装置が消費電力を変動させた場合、または、前記送電装置と前記受電装置との距離が変動した場合に、前記増幅器に供給する電圧を増減することを特徴とする請求項１乃至１４のいずれか１項に記載の送電装置。
【請求項１６】
前記電力制御手段は、前記送電手段による送電効率が改善されるように、前記増幅器に供給する電圧を増減することを特徴とする請求項１乃至１５のいずれか１項に記載の送電装置。
【請求項１７】
入力される電圧を変換して出力する増幅器を備え、受電装置へ電力伝送を行う送電装置の制御方法であって、
前記増幅器からの出力を用いて前記受電装置へ電力伝送を行う送電工程と、
入力される電圧を変換する際の前記増幅器の効率を、前記送電工程において送電を行っている際に評価する値を検出する検出工程と、
前記検出工程において検出された前記効率を評価する値に基づいて前記増幅器に入力する電圧を増減する電力制御工程を有することを特徴とする送電装置の制御方法。
【請求項１８】
請求項１乃至１６のいずれか１項に記載の送電装置としてコンピュータを機能させることを特徴とするプログラム。
【手続補正２】
【補正対象書類名】明細書
【補正対象項目名】０００９
【補正方法】変更
【補正の内容】
【０００９】
上記目的を達成するための一手段として、本発明の送電装置は以下の構成を備える。すなわち、受電装置へ電力伝送を行う送電装置であって、入力される電圧を変換して出力する増幅器と、前記増幅器からの出力を用いて前記受電装置へ電力伝送を行う送電手段と、入力される電圧を変換する際の前記増幅器の効率を、前記送電手段による送電を行っている際に評価する値を検出する検出手段と、前記検出手段によって検出された前記効率を評価する値に基づいて前記増幅器に入力する電圧を増減する電力制御手段を備えることを特徴とする。